(57)【要約】【構成】遊技機の役物や入賞装置等の可動部に、２つ以上のコイル１、２における電磁誘導を利用した非接触の電力伝達を用い、受電コイル２側の整流ダイオードの代用としてＬＥＤランプ４を使用する表示方式、及びこの表示方式において、送電側コイル１に直流の電源を周期的に印加し、送電側コイル１の誘導起電力を利用して効率よく交流磁束を発生させる電力伝達方式。【効果】可動部の表示手段として、リード線や接点等の部材を必要としないものである。また、風車や、チューリップおよび回転動作をする役物等の可動部にＬＥＤランプを設置する事ができ、遊技性が向上する。さらに、構造が小型でローコストであるため、設置場所の狭い部分での使用が可能になる。【選択図】      図１
2004283234.tif 000002
【特許請求の範囲】
【請求項１】
可動装置の可動部に２つ以上のコイルにおける電磁誘導を利用した非接触の電力伝達を用い、受電コイル側の整流ダイオードの代用としてＬＥＤランプを使用する表示方式。
【請求項２】
遊技機の役物や入賞装置等の可動部に、２つ以上のコイルにおける電磁誘導を利用した非接触の電力伝達を用い、受電コイル側の整流ダイオードの代用としてＬＥＤランプを使用する表示方式。
【請求項３】
請求項１、または請求項２に記載の表示方式において、送電側コイルに直流の電源を周期的に印加し、送電側コイルの誘導起電力を利用して効率よく交流磁束を発生させる電力伝達方式。
【発明の詳細な説明】
【０００１】
【発明の属する技術分野】
本発明は可動装置である可動部、例えばパチンコ機の遊技機用役物や入賞装置、及びその他の玩具等におけるＬＥＤランプ表示方式に関するものである。
【０００２】
【従来の技術】
従来は、玉が当たると回転する風車や、チューリップ、及び玩具等の回転動作をする可動部にリード線や接点と接続してＬＥＤランプを表示するものが存在していた。ところが、可動部にリード線や接点等の部材無しでＬＥＤランプを設置した物は無かった。
【０００３】
【発明が解決しようとする課題】
玉が当たると回転する風車や、チューリップ、及びその他玩具等の回転動作をする可動部に電力を伝達することは困難で、電線を用いた場合巻付や断線の恐れがあった。また、接点を用いても接点自体の寿命や、静電気が接点から機器内部に侵入し、静電破壊による機器の故障原因となる問題が発生する恐れがあった。また、電磁誘導を利用した電力の伝達であっても、整流用ダイオードが必要なため限られたスペースに設置することは困難であると共に、整流用ダイオードによる電圧低下が避けられなかった。
【０００４】
本発明は、このような事情に鑑み、無接点で電力を伝達し、電線の巻付や断線、及び接点の寿命、更に設置スペース等の問題を解決した提案をするものである。
【０００５】
【課題を解決するための手段】
本発明は、前記課題の解決を図ったもので、次のような技術手段を採用した。
請求項１記載の発明においては、可動装置の可動部に２つ以上のコイルにおける電磁誘導を利用した非接触の電力伝達を用い、受電コイル側の整流ダイオードの代用としてＬＥＤランプを使用するという技術手段を採用した。
【０００６】
請求項２記載の発明においては、遊技機の役物や入賞装置等の可動部に、２つ以上のコイルにおける電磁誘導を利用した非接触の電力伝達を用い、受電コイル側の整流ダイオードの代用としてＬＥＤランプを使用するという技術手段を採用した。
【０００７】
請求項３記載の発明においては、請求項１、または請求項２に記載の表示方式において、送電側コイルに直流の電源を周期的に印加し、送電側コイルの誘導起電力を利用して効率よく交流磁束を発生させる電力伝達方式という技術手段を採用した。
【０００８】
【実施例】
以下、本発明の一実施例を図１及び図６に基づいて詳細に説明する。
図１は、本発明の一実施例を活用したチューリップの断面図である。チューリップに磁性体の回転軸６を設け、該回転軸６を支えるパイプ７の中で該回転軸６は回転する。遊技機本体８の内側で該パイプ７の外周に送電側コイル１を、チューリップ内に受電側コイル２を配設する。更に、チューリップ内には、表示用ＬＥＤランプ３，ＬＥＤランプ４及び、共振用コンデンサ５を該受電用コイル２と並列になるよう接続する。この際、ＬＥＤランプ３，ＬＥＤランプ４は極性を逆向きに接続することで整流機能を発揮する。すなわち、受電コイルと並列に極性を互い違いにしたＬＥＤランプを接続することで、整流するという技術手段を採用した。チューリップが回転しても、送電側コイル１は動かず、巻付や断線の心配はない。
実施例では、ＬＥＤランプを２個使用しているが、１個の場合は片側を通常のダイオードにしても同様の動作は可能である。
なお、図２は受電コイル２にＬＥＤランプ３，ＬＥＤランプ４および、共振用コンデンサ５を接続した回路図を示す。
【０００９】
また、送電側コイル１に直流電源を印加し、発生した磁束の変化により逆起電力が発生する。送電側コイル１に印加した直流を遮断することで発生する逆向きの電流すなわち、誘導起電力を利用して効率よく交流磁束を発生させる手段も採用できる。この具体的な回路図としては、図３に直流電源の印加及び遮断を行うトランジスタ９と送電側コイル１及び誘導起電力で発生した電流を電圧に変換する抵抗１０と、直流電源からの電流を該抵抗１０に流さないためのダイオード１１を接続したものを示す。
なお、図４（ａ）は抵抗１０が無い場合の送電側コイル１の両端における電圧波形である。（ｂ）は抵抗１０によって発生した誘導起電力を含む送電側コイル１の両端における電圧波形である。
【００１０】
そして図６に示すように、発振回路１２で発生させた約７ｋＨｚの発振波形を送電側コイル駆動回路１３の駆動用トランジスタ７のベースに入力し、送電側コイル１に交流磁束を発生させる。発生した交流磁束が受電側コイル２を貫き誘導電流が受電側コイル２に流れる。この誘導電流は交流である。この交流に対し、ＬＥＤランプ３，ＬＥＤランプ４が整流回路となり、該ＬＥＤランプは交互に点滅する。
しかしながら、交流の周期が十分に短いため、該ＬＥＤランプはどちらも連続点灯しているように見える。また、本実施例では受電側コイル２で発生する電流は送電側コイル１の電流で制御するため、受電側に電流制限用の抵抗を配設する必要がなく、設置スペースの節約を行っている。
【００１１】
さらに、本発明を玩具に用いた実施例を図５に基づいて説明する。風車の枝に図示しない送電側コイル１を固設し、風車側の軸外周に受電側コイル２を設ける。また、風車の羽先端部にＬＥＤランプ３ａ，ＬＥＤランプ３ｂ，ＬＥＤランプ４ａ及び、ＬＥＤランプ４ｂを設ける事で、回転可能な風車に電力を供給可能とし、ＬＥＤランプ３ａ，ＬＥＤランプ３ｂ，ＬＥＤランプ４ａ及び、ＬＥＤランプ４ｂを点灯することが出来る。
【００１２】
【発明の効果】
本発明は、以上の構成を採用した結果、次のような効果を得ることができる。
（１）可動部の表示手段として、リード線や接点等の部材を必要としないものである。
（２）風車や、チューリップおよび回転動作をする役物等の可動部にＬＥＤランプを設置する事ができ、遊技性が向上する。
（３）構造が小型でローコストであるため、設置場所の狭い部分での使用が可能になる。
【図面の簡単な説明】
【図１】本発明の１実施例に関する断面図である。
【図２】本発明の１実施例における受電側の回路図である。
【図３】本発明の１実施例における送電側コイル駆動の回路図である。
【図４】本発明の１実施例に関するコイル両端の電圧波形である。
【図５】本発明を玩具に用いた場合の１実施例である。
【図６】本発明の１実施例に関する送電側の回路図である。
【符号の説明】
１‥‥送電側コイル                      ２‥‥受電側コイル
３‥‥ＬＥＤランプ                      ４‥‥ＬＥＤランプ
５‥‥共振用コンデンサ                  ６‥‥磁性材回転軸
７‥‥パイプ                            ８‥‥遊技機本体
９‥‥送電側コイル駆動トランジスタ    １０‥‥誘電起電力発生用抵抗
１１‥‥ダイオード                      １２‥‥発振回路
１３‥‥送電側コイル駆動回路
【図１】
2004283234.tif 000003
【図２】
2004283234.tif 000004
【図３】
2004283234.tif 000005
【図４】
2004283234.tif 000006
【図５】
2004283234.tif 000007
【図６】
2004283234.tif 000008